(57)【要約】【課題】  作業性に優れ、被覆材の段鼻被覆部の下端を階段の蹴上げ部に強固に接合できる階段被覆構造および階段被覆方法を提供する。【解決手段】  階段の踏み面を覆う踏み面部と前記踏み面の下側に続く蹴上げ面を覆う下縁部と前記踏み面と前記蹴上げ面とが交差する段鼻を覆う段鼻部とからなる第一被覆材と、前記蹴上げ面を覆う第二被覆材と、を備え、前記第一被覆材の下縁部の下端が前記第二被覆材に溶接されている階段被覆構造であり、またその階段被覆方法である。【選択図】図１
2015209726.tif 000002
【特許請求の範囲】
【請求項１】
階段の踏み面を覆う踏み面部と前記踏み面の下側に続く蹴上げ面を覆う下縁部と前記踏み面と前記蹴上げ面とが交差する段鼻を覆う段鼻部とからなる第一被覆材と、
前記蹴上げ面を覆う第二被覆材と、を備え、
前記第一被覆材の下縁部の下端が前記第二被覆材に溶接されている階段被覆構造。
【請求項２】
前記第一被覆材の下縁部の下端が帯状接合部材により前記第二被覆材に溶接されている請求項１に記載の階段被覆構造。
【請求項３】
前記第一被覆材、前記第二被覆材および前記帯状接合部材が合成樹脂からなる請求項１または２に記載の階段被覆構造。
【請求項４】
階段の踏み面とその下側に続く蹴上げ面とこれらが交差する段鼻をそれぞれ第一被覆材の踏み面部および下縁部および段鼻部で覆う工程と、
前記下側の蹴上げ面を第二被覆材で覆う工程と、
前記第一被覆材の下縁部の下端を前記第二被覆材に溶接する工程と、
を備える階段被覆方法。
【発明の詳細な説明】
【技術分野】
【０００１】
本発明は、階段の踏み面および蹴上げ面に亘りその表面が被覆材により被覆されている階段被覆構造および階段被覆方法に関する。
【背景技術】
【０００２】
従来、階段の表面を合成樹脂製などの被覆材により被覆した階段被覆構造がある。このような階段用表面被覆材として、例えば階段の踏み面を覆う踏み面被覆部と、その一側に延設され上側の蹴上げ面を覆う蹴上げ被覆部と、他側に延設され段鼻および下側の蹴上げ面を覆う段鼻被覆部とからなり、階段の一段分を被覆しうる被覆材が知られており、このような被覆材を複数用いて階段の表面を連続して被覆することにより階段全体が被覆される。
【０００３】
特許文献１には、前端から下方に折れ曲がる段鼻被覆部を形成した合成樹脂製の被覆材を使用し、その段鼻被覆部で階段の段鼻部を被覆すると共に、階段の踏み面とその上側の蹴上げ面に沿わせて被覆材をＬ形に折り曲げ、階段の踏み面と踏み面後端のコーナー部とその上側の蹴上げ面を、被覆材の踏み面被覆部とコーナー被覆部と蹴上げ面被覆部とで被覆し、貼着剤で階段に貼着された階段被覆構造が開示されている。
【０００４】
そして上記階段被覆構造において、被覆材の段鼻被覆部の下縁部は下側の蹴上げ面を覆う被覆材の蹴上げ面被覆部の上端縁に重ねて両面テープで固定され、段鼻被覆部が捲れたり水が浸入しないように被覆材の段鼻被覆部の下端をコーキング材で封止されること、また被覆材の幅方向両側端も同様にコーキング材で封止されることが開示されている。このように被覆材の端部の処理はコーキング材（液状またはパテ状のシーリング材）を充填することが一般的に行われていた。そしてコーキング材を充填する際には、仕上がりを美しくするために充填箇所の周囲をマスキングテープなどで覆って作業することが一般的である。
【先行技術文献】
【特許文献】
【０００５】
【特許文献１】特開２０１２−３１５９５号公報
【発明の概要】
【発明が解決しようとする課題】
【０００６】
しかしながら、上記階段被覆構造においては階段の各段において前述のマスキング作業をしなければならないため作業が非常に頻雑であり、また狭い場所での作業のため作業しづらいという問題があった。また被覆材の段鼻被覆部下端の封止については上方向にコーキング材を充填しなければならないためコーキング材が入り込みにくく、充填不足により十分に接合されていない箇所から捲れることが懸念される。
【０００７】
本発明は、上記の問題点に鑑みてなされたもので、作業性に優れ、被覆材の段鼻被覆部の下端を階段の蹴上げ部に強固に接合できる階段被覆構造および階段被覆方法を提供する。
【課題を解決するための手段】
【０００８】
本発明は階段の踏み面を覆う踏み面部と前記踏み面の下側に続く蹴上げ面を覆う下縁部と前記踏み面と前記蹴上げ面とが交差する段鼻を覆う段鼻部とからなる第一被覆材と、前記蹴上げ面を覆う第二被覆材と、を備え、前記第一被覆材の下縁部の下端が前記第二被覆材に溶接されている階段被覆構造である。さらに、前記第一被覆材の下縁部の下端が帯状接合部材により前記第二被覆材に溶接されている階段被覆構造であり、またさらに前記第一被覆材、前記第二被覆材および前記帯状接合部材が合成樹脂からなる階段被覆構造である。
【０００９】
また、階段の踏み面とその下側に続く蹴上げ面とこれらが交差する段鼻をそれぞれ第一被覆材の踏み面部および下縁部および段鼻部で覆う工程と、前記下側の蹴上げ面を第二被覆材で覆う工程と、前記第一被覆材の下縁部の下端を前記第二被覆材に溶接する工程と、を備える階段被覆方法である。
【発明の効果】
【００１０】
上記のような構成とすることにより、踏み面とその下側に続く蹴上げ面およびこれらが交差する段鼻とを覆う第一被覆材の下縁部の下端は周囲のマスキングが不要な溶接により蹴上げ面を覆う第二被覆材に接合されるため端部の封止作業が簡略化されるとともに溶接後はコーキング材のように長く乾燥時間を取る必要がないため作業性に優れたものとなる。また第一被覆材の下端は溶接により階段の蹴上げ面に強固に接合することができる。
【図面の簡単な説明】
【００１１】
【図１】本発明の実施形態に係る階段被覆構造の一実施例を示す部分断面図である。
【図２】図１の点線で囲まれた部分の拡大図である。
【図３】本発明の実施形態に係る階段被覆構造の一実施例を示す部分断面斜視図である。
【図４】帯状接合部材の断面形状の例を示す断面図である。
【図５】図１の階段被覆構造に用いた被覆材の施工前の状態を示す図である。
【発明を実施するための形態】
【００１２】
以下本発明の実施形態を図面に基づいて説明する。なお、本発明は以下の実施例に限定されるものではない。
【００１３】
まず、図１に示す本発明の一実施例である階段被覆構造について説明する。
図１において、下地である階段１の表面が第一被覆材２および第二被覆材３により覆われている。第一被覆材２は階段の踏み面１ａとその下側に続く蹴上げ面１ｂとこれらが交差する段鼻１ｃとを覆い、第二被覆材３は蹴上げ面１ｂを覆っている。第一被覆材２および第二被覆材３は接着剤（図示せず）により階段１に接着されている。なお本実施例においては第一被覆材２，第二被覆材３の固定に接着剤を用いたが、両面テープなどの粘着材を用いてもよい。
【００１４】
図１は階段の二段分を示しているが、各段も同様にして表面を第一被覆材２および第二被覆材３により覆われており、複数の被覆材によって表面を覆われている。第一被覆材２と第二被覆材３とは蹴上げ面１ｂの上で重ね合わされ、第一被覆材２は第二被覆材３上に両面テープ（図示せず）により固定されている。第一被覆材２と第二被覆材３との重ね合わせ部における被覆材の固定方法は、両面テープに限らず接着剤などを使用してもよい。
【００１５】
図１の第一被覆材２および第二被覆材３はポリ塩化ビニル系樹脂シートである。第一被覆材２および第二被覆材３はポリ塩化ビニル系樹脂、ポリ酢酸ビニル、エチレン‐酢酸ビニル共重合体などのビニル系樹脂、ポリエチレン、ポリプロピレンなどのオレフィン系樹脂、アクリル系樹脂、天然ゴム、合成ゴムなどの合成樹脂製シートが好適に用いられ、これらの合成樹脂製シートには可塑剤、安定剤、充填材、着色剤、耐候剤などの各種配合剤を適宜配合することができる。第一被覆材２および第二被覆材３は階段の表面に沿って被覆させるため、柔軟性のあるシート状のものが好ましい。上記の中でもビニル系樹脂製シートが好ましく、更には軟質のポリ塩化ビニル系樹脂が好適である。
【００１６】
図１の第一被覆材２と第二被覆材３は、連続したシート状に形成されている。図１の第一被覆材２および第二被覆材３の施工前の状態の断面図を図５に示す。第二被覆材３は第一被覆材２の踏み面部２ａの一の端部に連設されており、第一被覆材２の踏み面部２ａの他側の端部には段鼻部２ｃと下縁部２ｂが続いており、第一被覆材２は断面略Ｌ字形状をしている。本実施例において下縁部２ｂは蹴上げ面１ｂの一部を覆うように構成されているが、蹴上げ面１ｂ全面を覆うように構成されていてもよい。第一被覆材２及び第二被覆材３は本実施例の形態に限定されるものではなく、例えば第一被覆材２と第二被覆材３がそれぞれ独立した部材であってもよく、また第一被覆材２の踏み面部２ａの段鼻部２ｃに隣接する一部（図５における表面に凹凸のある部分）を除く部分が独立した部材であってもよい。
【００１７】
図２は図１における第一被覆材２および第二被覆材３との接合部分を拡大して示したものである。
第一被覆材２の下縁部２ｂと第二被覆材３の上縁部３ａとは蹴上げ面１ｂ上で重ね合わされ、第一被覆材２の下縁部２ｂの下端２ｂ−１は第二被覆材３に帯状接合部材４により溶接されている。
【００１８】
本実施例においては第一被覆材２の下縁部２ｂの下端２ｂ−１は第二被覆材３に帯状接合部材４により溶接されているが、接合部材を用いずに溶接してもよい。例えば、熱溶着、高周波溶着、レーザー溶着などの溶着方法により第一被覆材２の下縁部２ｂの下端２ｂ−１を第二被覆材３に直接溶着することにより溶接することもできる。なお接合部材を用いずに直接溶接する場合は、溶接部分の強度を保持するために下縁部２ｂの下端２ｂ−１だけでなく下縁部２ｂの裏面も第二被覆材３に溶接することが好ましい。また接合部材を用いて溶接する場合、接合部材の形状は帯状に限定されず、各種形状を取ることが可能であり、不定形でもよい。
【００１９】
本実施例に使用した帯状接合部材４はポリ塩化ビニル系樹脂製の長尺帯状部材である。帯状接合部材４はポリ塩化ビニル系樹脂、ポリ酢酸ビニル、エチレン‐酢酸ビニル共重合体などのビニル系樹脂、ポリエチレン、ポリプロピレンなどのオレフィン系樹脂、アクリル系樹脂、天然ゴム、合成ゴムなどの合成樹脂製長尺帯状部材が好適に用いられ、これらの合成樹脂製長尺帯状部材には可塑剤、安定剤、充填材、着色剤、耐候剤などの各種配合剤を適宜配合することができる。また高い溶接強度を保持するために、帯状接合部材４は適度な剛性と弾性を有するものが好ましく、また第一被覆材２および第二被覆材３と相溶性の良いものを用いることが好ましい。帯状接合部材４は上記の中でもビニル系樹脂製のものが好ましく、更には半硬質から軟質のポリ塩化ビニル系樹脂製のものが好適である。なお帯状以外の接合部材についても帯状接合部材４と同様の合成樹脂製のものを好適に使用できる。
【００２０】
本実施例に使用した帯状接合部材４の形状は断面が円形の帯状体であるが、これに限定されるものではない。図４は帯状接合部材４の断面を表す図を示したものであり、（ａ）のような円形のほかにも、（ｂ）のような半円形や（ｃ）のような四半円形などの扇形状のものや、（ｄ）のような三角形のものが使用でき、そのほか楕円形、四角形なども使用可能である。溶接時には溶接機のノズルに帯状接合部材４を通して溶接作業を行うため、溶接機のノズルの形状は帯状接合部材４の形状に対応したものを用いることが好ましい。
【００２１】
第一被覆材２の下縁部２ｂの下端２ｂ−１が第二被覆材３に溶接されることで、コーキング材やシーリング材等で端部を封止するよりも接合強度が向上し、第一被覆材２の下縁部２ｂの下端２ｂ−１が歩行によって剥離する危険性を低減することができる。本実施形態のように第一被覆材２は段鼻部２ｃと下縁部２ｂが連結されている。ここで、階段を歩行する際に段鼻部２ｃに足を掛けて昇降する場合が多いため、段鼻部２ｃには大きな荷重が繰り返しかかることとなる。そして、段鼻部２ｃと下縁部２ｂが連結されていると、その段鼻部２ｃにかかる繰り返し荷重は下縁部２ｂにも伝わり、下縁部２ｂと第二被覆材３との接合部にも作用することとなる。そうすると、第一被覆材２の下縁部２ｂの下端２ｂ−１が第二被覆材３に溶接されることで、下縁部２ｂと第二被覆材３との接合部にも作用する応力に対応することができ、この接合部の剥離を防止することができる。
【００２２】
さらに帯状接合部材４を用いて溶接する場合には直接溶接する場合に比べてむらなく溶接ができるため、溶接部の安定した接合強度を得ることができる。また溶接部をきれいに仕上げることができるため外観上も優れたものとなる。さらに、帯状接合部材４の色またはデザインと第一被覆材２、第二被覆材３の色またはデザインとの組み合わせにより様々な意匠設計が可能であり、さらに帯状接合部材４に蓄光剤などを添加すれば夜間の視認性を高める効果も得られる。
【００２３】
図３は図１の階段被覆構造の部分断面斜視図を示したものである。階段１横の壁面５の下側には階段の形状に合わせてカットされた巾木６が接着されている。巾木６と階段１に敷設施工された第一被覆材２および第二被覆材３との目地部には、水の浸入を防ぐためシーリング材７が充填されている。このような階段構造とすることにより下地への水の浸入を防止することができ、水密性に優れたものとすることができる。
【００２４】
巾木６は第一被覆材２および第二被覆材３と同様の合成樹脂製シートからなるものが好適に用いられる。またシーリング材７としては一般的な不定形シーリング材（液状またはパテ状のシーリング材）または定形シーリング材が使用でき、ウレタン系、アクリル系、シリコーン系、ブチルゴム系などのシーリング材が好適に使用できる。
【００２５】
次に、本発明の階段被覆構造の施工方法について説明する。
図１〜図３の階段構造の一実施例の施工方法に基づき説明する。
【００２６】
まずはじめに、下地となる階段１の乾燥状態や平滑性などを確認、調整したあと、蹴上げ面１ｂに第二被覆材３を張り付ける。被覆材の下地への張り付けには一般的な床用接着剤が使用でき、たとえばウレタン系、アクリル系、エポキシ系、ニトリルゴム系などの接着剤が挙げられる。蹴上げ面１ｂに櫛目ごてなどを用いて接着剤を塗布したのち、所定のオープンタイム経過後に第二被覆材３を張り付け圧着する。
【００２７】
続いて先ほど第二被覆材３を張り付けた蹴上げ面１ｂの上側の踏み面１ａに同様にして接着剤を塗布する。所定のオープンタイム経過後に第一被覆材２を張り付ける。第一被覆材２の張り付けは、階段１の段鼻１ｃに第一被覆材２の段鼻部２ｃをあてがいながら踏み面１ａおよび蹴上げ面１ｂに踏み面部２ａおよび下縁部２ｂをそれぞれ張り付けていき、ハンドローラーなどを用いて圧着する。張り付けの際、階段の両側部分は排水溝またはシーリング材にて目地処理する部分として少し（シーリング材にて目地処理する場合は５ｍｍ〜１０ｍｍ程度）隙間を空けておくとよい。
【００２８】
また被覆材を階段に張り付ける際には、必要に応じて第二被覆材３、第一被覆材２の裏面にも接着剤を全面または部分的に塗布したり、またシーリング材や両面テープなどの貼着材を部分的に充填または貼り付けておくこともできる。また接着剤を用いずに貼着材のみで貼り付けることもできる。
【００２９】
第一被覆材２の下縁部２ｂと第二被覆材３の上縁部３ａとの重ね合わせ部分は、特に固定しなくてもよいが接着剤または両面テープなど貼着材で張り付けておくことが好ましい。この際、あらかじめ第一被覆材２の下縁部２ｂにあらかじめ接着剤を塗布するか、両面テープなどの貼着材を貼り付けておくとよい。
【００３０】
階段１の全ての段に被覆材を張り付けたら、第一被覆材２の下縁部２ｂの下端２ｂ−１を第二被覆材３に帯状接合部材４により溶接する。帯状接合部材４の溶接作業は専用の溶接機を用いて行うことが好ましい。溶接機のノズルに帯状接合部材４を通して熱風で焙り、第一被覆材２の下縁部２ｂの下端２ｂ−１と第二被覆材３との境界部分に熱風で焙られ一部溶融した帯状接合部材４を押し付け溶接する。
本実施例においてはポリ塩化ビニル系樹脂シートである被覆材とポリ塩化ビニル系樹脂からなる帯状接合部材４を使用しており、この場合溶接機の設定温度が３２０℃〜３３０℃程度で１２０ｃｍ／分〜１５０ｃｍ／分程度のスピード（平場に施工した床シートの端部同士を溶接するよりやや遅めのスピード）で溶接することが好ましい。溶接機の設定温度と溶接スピードは各材質に合わせて適宜好適な条件を設定するとよい。
【００３１】
第一被覆材２の下縁部２ｂの下端２ｂ−１の端部処理を従来のコーキング材やシーリング材で処理する場合には、処理部が垂直面であるためシーリング材等が垂れてくるおそれもあり処理部の周囲をマスキングテープでマスキングした後にシーリング材等を塗布することとなる。ここで、階段の蹴上げ面の幅、踏み面の幅は１ｍ程度と広くはなく、蹴上げ面の高さも２０ｃｍ程度と狭いところでの作業のため、踏み面に足をつけて蹴上げ面にマスキングテープを貼り付けるのは煩雑な作業である。しかし本発明においては第一被覆材２の下縁部２ｂの下端２ｂ−１が第二被覆材３に溶接されることでマスキング作業が不要となり、また溶接後はコーキング材やシーリング材のように長く乾燥時間をとる必要がないため作業の効率化が図られる。
【００３２】
階段１すべての溶接作業が終了したら、被覆材の両端の端部処理を行う。階段１を覆う被覆材の両端の周囲と、壁面５にあらかじめ施工しておいた巾木６の下側（階段側）の端部の周囲をマスキングテープによりマスキングし、シーリング材７を充填する。充填が完了したらマスキングテープをはがし、接着剤およびシーリング材７が硬化するまで養生し、施工完了となる。
【００３３】
第一被覆材２の下縁部２ｂの下端２ｂ−１とともに被覆材の両端と壁面５の境界部をシーリング材等で処理する際には、処理する端部同士が交差する箇所が複数存在するため、さらにマスキング作業は頻雑なものとなり、また一方のシーリング材が乾燥する前に他方のシーリング材を充填するとこれらの交差箇所の仕上がりが醜くなることから、ある程度作業時間の間隔を置かねばならず作業性が悪かった。それに対して、第一被覆材２の下縁部２ｂの下端２ｂ−１が第二被覆材３に溶接されることで、溶接部分のマスキング作業が不要となり端部同士の交差箇所もなくなるため作業の効率化が図られる。
【００３４】
本発明の階段被覆構造の施工方法である階段被覆方法は、上記に限定されるものではない。たとえば、帯状接合部材を用いずに溶接する場合は、前述した溶着方法により第一被覆材２の下縁部２ｂの下端２ｂ−１と第二被覆材３とを一部溶融させ直接溶着することにより溶接する方法をとることもできる。また施工手順についても作業性等を考慮し適宜変更することができる。
【００３５】
また本実施形態においては第一被覆材２の下縁部２ｂを階段１の蹴上げ面１ｂを覆う第二被覆材３に重ねて被覆するため容易に溶接が可能であり、また帯状接合部材４を用いて溶接する場合には第一被覆材２の下縁部２ｂの下端２ｂ−１と第二被覆材３との間に生じる段差部分に帯状接合部材４を収めて溶接することができるため溶接作業が容易であり仕上がりも美しく仕上げることができる。
【産業上の利用可能性】
【００３６】
本発明の階段被覆構造および階段被覆方法によれば、踏み面とその下側に続く蹴上げ面を覆う第一被覆材の下端と蹴上げ面を覆う第二被覆材との境界部分は周囲のマスキングが不要な溶接によって接合されるため、作業性に優れるとともに溶接部は強固に固定される。よって本発明の階段被覆構造および階段被覆方法は、マンションなどの集合住宅の外階段や学校、病院、福祉施設など各種施設の階段に好適であり、新築、改修を問わず利用可能である。
【符号の説明】
【００３７】
１  階段
１ａ  踏み面
１ｂ  蹴上げ面
１ｃ  段鼻
２  第一被覆材
２ａ  踏み面部
２ｂ  下縁部
２ｂ−１  下縁部の下端
２ｃ  段鼻部
３  第二被覆材
３ａ  上縁部
４  帯状接合部材
５  壁面
６  巾木
７  シーリング材
【図１】
2015209726.tif 000003
【図２】
2015209726.tif 000004
【図３】
2015209726.tif 000005
【図４】
2015209726.tif 000006
【図５】
2015209726.tif 000007